(57)【特許請求の範囲】
【請求項１】
原稿台に載置された原稿の画像を読み取る画像読取部を備え、前記画像読取部にて読み取った画像を記録媒体上に形成する画像形成装置であって、
前記原稿台に対して開閉する上面カバーと、
前記上面カバーの開閉を検知するカバー開閉検知部と、
前記原稿のサイズが不確定の状態で前記画像読取部による画像の読取が開始され、該読取が終了した後、前記カバー開閉検知部によって前記上面カバーの開動作が検知されたときに、前記原稿のサイズを検知する原稿サイズ検知部とをさらに備え、
前記原稿のサイズが不確定の状態で前記画像読取部による画像の読取が開始され、前記原稿サイズ検知部にて前記原稿のサイズが検知された場合に、検知された前記原稿のサイズと同じサイズの記録媒体上に読取画像を形成することを特徴とする画像形成装置。
【請求項２】
前記画像読取部は、光源を有するキャリッジを移動させながら、前記原稿台に載置された原稿に光を照射するとともに、前記原稿からの反射光を受光することにより、前記原稿の画像を読み取り、
前記原稿サイズ検知部は、前記キャリッジの移動による画像の読取終了後、前記キャリッジが読取終了位置からホームポジションに戻るリターン中に、前記カバー開閉検知部によって前記上面カバーの開動作が検知されたときには、前記リターン中に前記原稿のサイズを検知することを特徴とする請求項１に記載の画像形成装置。
【請求項３】
前記画像読取部は、光源を有するキャリッジを移動させながら、前記原稿台に載置された原稿に光を照射するとともに、前記原稿からの反射光を受光することにより、前記原稿の画像を読み取り、
前記原稿サイズ検知部は、前記キャリッジの移動による画像の読取終了後、前記キャリッジが読取終了位置からホームポジションに戻り、該ホームポジションでの停止中に、前記カバー開閉検知部によって前記上面カバーの開動作が検知されたときには、前記キャリッジを再度移動させて前記原稿のサイズを検知することを特徴とする請求項１に記載の画像形成装置。
【請求項４】
前記原稿サイズ検知部は、副走査方向の原稿サイズについては、複数の予め定められた位置に配置された各検知センサでの検知結果に基づいて前記原稿サイズを検知する一方、主走査方向の原稿サイズについては、前記光源点灯時の読取結果に基づいて原稿サイズを検知することを特徴とする請求項２または３に記載の画像形成装置。
【請求項５】
前記原稿のサイズの候補を表示するとともに、表示した候補の中から前記原稿のサイズの指定を受け付ける表示部をさらに備え、
前記原稿のサイズが不確定の状態で前記画像読取部による画像の読取が開始され、前記表示部にて前記原稿のサイズが指定された場合に、指定された前記原稿サイズと同じサイズの記録媒体上に読取画像を形成することを特徴とする請求項１から４のいずれかに記載の画像形成装置。
【請求項６】
前記画像読取部は、前記原稿のサイズが不確定の状態では、最大の原稿サイズで画像を読み取り、
該画像形成装置は、前記原稿サイズ検知部にて検知された前記原稿のサイズまたは前記表示部にて指定された前記原稿のサイズに読取画像を切り出し、前記原稿サイズと同じサイズの記録媒体上に切り出した画像を形成することを特徴とする請求項５に記載の画像形成装置。
【請求項７】
前記原稿サイズ検知部にて検知された前記原稿のサイズまたは前記表示部にて指定された前記原稿のサイズに対応する記録媒体を用いて画像を形成した結果を示すプレビュー表示を、前記記録媒体への画像形成前に前記表示部に実行させるか否かを設定するための入力部をさらに備えていることを特徴とする請求項５または６に記載の画像形成装置。
【請求項８】
前記表示部は、前記プレビュー表示を行う場合に、他の原稿サイズの候補を併せて表示して、該他の原稿サイズの選択入力を受け付けることを特徴とする請求項７に記載の画像形成装置。
【請求項９】
前記表示部は、前記他の原稿サイズの選択入力を受け付けたときに、入力された前記他の原稿サイズのプレビュー表示を行うことを特徴とする請求項８に記載の画像形成装置。
【請求項１０】
前記原稿のサイズの候補を表示するとともに、表示した候補の中から前記原稿のサイズの指定を受け付ける表示部と、
前記画像読取部による画像の読取開始前に、前記原稿台に載置された原稿のサイズを検知して認識する原稿サイズ認識部と、
前記画像読取部による画像の読取開始時点で、前記原稿のサイズが確定されているか否かを判断する原稿サイズ確定判断部とをさらに備え、
前記原稿サイズ確定判断部は、前記画像読取部による画像の読取開始時点で、前記表示部にて前記原稿のサイズの指定がなく、かつ、前記原稿サイズ認識部にて前記原稿のサイズが認識されていない場合に、前記原稿のサイズが不確定であると判断することを特徴とする請求項１に記載の画像形成装置。
【請求項１１】
前記画像読取部にて読み取った画像を等倍で前記記録媒体上に形成することを特徴とする請求項１から１０のいずれかに記載の画像形成装置。
【発明の詳細な説明】
【技術分野】
【０００１】
本発明は、原稿台に載置された原稿の画像を読み取って、記録媒体上に読取画像を形成する画像形成装置に関するものである。
【背景技術】
【０００２】
原稿台（例えばコンタクトガラス）に載置された原稿の画像を読み取って、上記原稿と同じサイズの記録媒体（例えば用紙）に読取画像を形成する場合、載置された原稿のサイズをセンサで検知し、その検知結果に応じて記録媒体を選択する必要がある。このとき、原稿台に原稿を載置して上面カバーを閉じてから原稿のサイズを検知する構成では、上面カバーを閉じた後、サイズ検知に要する時間だけ、画像形成が遅れることになる。そこで、例えば特許文献１では、原稿台に原稿を載置した後、上面カバーを閉じる途中で、原稿のサイズ検知を行っている。このように上面カバーを閉じる動作と並行してサイズ検知を行うことにより、上面カバーを閉じた後、即座に画像形成を行うことが可能となっている。
【先行技術文献】
【特許文献】
【０００３】
【特許文献１】特公平２−２１５８８号公報（特許請求の範囲、第４コラム第５〜９行等参照）
【発明の概要】
【発明が解決しようとする課題】
【０００４】
以下での説明の便宜上、装置の電源ＯＮ状態、および、装置がスリープモード（省電力モード）から画像形成が可能な通常モードに復帰した状態を、装置の稼働状態と称し、装置の電源ＯＦＦ状態、および、装置がスリープモードにある状態を、装置の非稼働状態と称することとする。
【０００５】
装置の稼働状態では、各機能ブロックに電力が供給されており、原稿台に原稿を載置すると、その原稿のサイズをセンサによって検知することが可能であるので、原稿サイズ検知後、原稿サイズに応じた記録媒体を選択して、読取画像を記録媒体に形成することができる。
【０００６】
これに対して、装置の非稼働状態においては、各機能ブロックの全部または一部への電力供給がＯＦＦされており、原稿台に原稿を載置しても、センサによる原稿のサイズ検知が行われない。そのため、原稿を載置した後に装置を稼働状態にして、載置原稿のコピー動作が指示された場合には、原稿サイズが不確定の状態で上記原稿の画像が読み取られ、読取画像が記録媒体に形成されることになる。
【０００７】
ここで、装置が備える複数段の給紙トレイのうち、例えば最上段の給紙トレイに収容された記録媒体のサイズを優先サイズとして設定しておくと、原稿サイズが不確定の状態で画像の読取が開始された場合には、予め設定された優先サイズの記録媒体に画像を形成することができる。しかし、この場合は、載置された原稿のサイズが、優先サイズと常に一致するとは必ずしも言えず、原稿サイズと異なるサイズの記録媒体に画像が形成される事態が生ずる。
【０００８】
なお、特許文献１の装置においては、装置の非稼働状態で原稿台に原稿を載置し、上面カバーを閉じてから装置を稼働状態にした後は、上面カバーを閉じる動作は既に完了しており、再度行われないので、上面カバーの閉動作をトリガーとした原稿のサイズ検知を行うことができない。したがって、載置原稿のコピー動作が指示された場合には、原稿サイズが不確定の状態で画像の読取が開始されることになり、事情は上記と同様である。
【０００９】
また、原稿サイズが不確定の状態で画像の読取が開始されても、画像の読取が終了した後、ユーザは原稿台に対して上面カバーを開けて、原稿台に載置した原稿を取り除く動作を行う。したがって、このような動作を想定して、画像の読取終了後、読取画像を迅速に記録媒体に形成することができれば、ユーザは画像が形成された記録媒体を迅速に得ることができ、便利である。
【００１０】
本発明は、上記の問題点を解決するためになされたもので、その目的は、原稿サイズが不確定の状態で画像の読取が開始された場合でも、原稿サイズと異なるサイズの記録媒体に画像が形成される事態を回避できるとともに、画像の読取終了後、読取画像を迅速に記録媒体に形成することができる画像形成装置を提供することにある。
【課題を解決するための手段】
【００１１】
本発明の画像形成装置は、原稿台に載置された原稿の画像を読み取る画像読取部を備え、前記画像読取部にて読み取った画像を記録媒体上に形成する画像形成装置であって、前記原稿台に対して開閉する上面カバーと、前記上面カバーの開閉を検知するカバー開閉検知部と、前記原稿のサイズが不確定の状態で前記画像読取部による画像の読取が開始され、該読取が終了した後、前記カバー開閉検知部によって前記上面カバーの開動作が検知されたときに、前記原稿のサイズを検知する原稿サイズ検知部とをさらに備え、前記原稿のサイズが不確定の状態で前記画像読取部による画像の読取が開始され、前記原稿サイズ検知部にて前記原稿のサイズが検知された場合に、検知された前記原稿のサイズと同じサイズの記録媒体上に読取画像を形成することを特徴としている。
【００１２】
上記の構成によれば、原稿サイズが不確定の状態で画像の読取が開始されても、原稿サイズ検知部にて原稿サイズが検知されると、検知された原稿サイズと同じサイズの記録媒体に読取画像が形成されるので、載置された原稿のサイズと異なるサイズの記録媒体に画像が形成される事態を回避することができる。
【００１３】
また、原稿サイズが不確定の状態で画像の読取が開始され、画像読取終了後に上面カバーの開動作が検知されたときに、原稿サイズ検知部が原稿サイズを検知するので、画像読取終了後、極力早い時点で原稿サイズを検知することができ、検知した原稿サイズと同じサイズの記録媒体に読取画像を迅速に形成することができる。
【００１４】
本発明の画像形成装置において、前記画像読取部は、光源を有するキャリッジを移動させながら、前記原稿台に載置された原稿に光を照射するとともに、前記原稿からの反射光を受光することにより、前記原稿の画像を読み取り、前記原稿サイズ検知部は、前記キャリッジの移動による画像の読取終了後、前記キャリッジが読取終了位置からホームポジションに戻るリターン中に、前記カバー開閉検知部によって前記上面カバーの開動作が検知されたときには、前記リターン中に前記原稿のサイズを検知してもよい。
【００１５】
この場合、原稿サイズ検知部は、画像の読取終了後、キャリッジのリターン中の動作を利用して原稿サイズを検知するので、キャリッジの余分な動作を不要とすることができる。つまり、サイズ検知のために、キャリッジを改めて動作させる（リターン動作と異なる動作をさせる）必要がない。
【００１６】
本発明の画像形成装置において、前記画像読取部は、光源を有するキャリッジを移動させながら、前記原稿台に載置された原稿に光を照射するとともに、前記原稿からの反射光を受光することにより、前記原稿の画像を読み取り、前記原稿サイズ検知部は、前記キャリッジの移動による画像の読取終了後、前記キャリッジが読取終了位置からホームポジションに戻り、該ホームポジションでの停止中に、前記カバー開閉検知部によって前記上面カバーの開動作が検知されたときには、前記キャリッジを再度移動させて前記原稿のサイズを検知してもよい。
【００１７】
この場合、原稿サイズ検知部は、キャリッジのリターン終了後であっても、キャリッジの再移動によって原稿サイズを検知することができる。
【００１８】
本発明の画像形成装置において、前記原稿サイズ検知部は、副走査方向の原稿サイズについては、複数の予め定められた位置に配置された各検知センサでの検知結果に基づいて前記原稿サイズを検知する一方、主走査方向の原稿サイズについては、前記光源点灯時の読取結果に基づいて原稿サイズを検知してもよい。
【００１９】
この構成では、主走査方向および副走査方向のいずれについても、原稿サイズを正しく検知することができる。
【００２０】
本発明の画像形成装置は、前記原稿のサイズの候補を表示するとともに、表示した候補の中から前記原稿のサイズの指定を受け付ける表示部をさらに備え、前記原稿のサイズが不確定の状態で前記画像読取部による画像の読取が開始され、前記表示部にて前記原稿のサイズが指定された場合に、指定された前記原稿サイズと同じサイズの記録媒体上に読取画像を形成してもよい。
【００２１】
この構成では、原稿サイズが不確定の状態で画像の読取が開始されても、ユーザが表示部にて原稿サイズを直接指定することにより、画像の読取終了後、早く記録媒体への画像形成を開始させることができる。
【００２２】
本発明の画像形成装置において、前記画像読取部は、前記原稿のサイズが不確定の状態では、最大の原稿サイズで画像を読み取り、該画像形成装置は、前記原稿サイズ検知部にて検知された前記原稿のサイズまたは前記表示部にて指定された前記原稿のサイズに読取画像を切り出し、前記原稿サイズと同じサイズの記録媒体上に切り出した画像を形成してもよい。
【００２３】
原稿サイズが不確定の状態では、最大の原稿サイズで画像が読み取られるので、その後、どのような原稿サイズが検知または指定されても、読取画像のうちの必要な部分（載置された原稿の画像の部分）だけを切り出すことができる。そして、検知または指定された原稿サイズに読取画像を切り出して、切り出した画像を記録媒体に形成するので、必要な画像のみを記録媒体に形成することができる。
【００２４】
本発明の画像形成装置は、前記原稿サイズ検知部にて検知された前記原稿のサイズまたは前記表示部にて指定された前記原稿のサイズに対応する記録媒体を用いて画像を形成した結果を示すプレビュー表示を、前記記録媒体への画像形成前に前記表示部に実行させるか否かを設定するための入力部をさらに備えていてもよい。
【００２５】
この場合、ユーザは、入力部での設定入力によって、表示部にてプレビュー表示を実行するか否かを自由に設定することができる。また、プレビュー表示の実行が設定されている場合には、ユーザは、正しいサイズの記録媒体に読取画像が形成されるか否かを、プレビュー表示で確認することができる。一方、プレビュー表示の実行が設定されていない場合には、ユーザによるプレビュー表示での原稿サイズの確認なしで、読取画像を記録媒体に形成させることができ、画像の読取終了後、迅速に画像形成を行うことができる。
【００２６】
本発明の画像形成装置において、前記表示部は、前記プレビュー表示を行う場合に、他の原稿サイズの候補を併せて表示して、該他の原稿サイズの選択入力を受け付けてもよい。
【００２７】
この場合、ユーザは、プレビュー表示にて、検知または指定された原稿サイズが正しくないと判断した場合に、表示部にて他の原稿サイズを選択することができる。
【００２８】
本発明の画像形成装置において、前記表示部は、前記他の原稿サイズの選択入力を受け付けたときに、入力された前記他の原稿サイズのプレビュー表示を行ってもよい。
【００２９】
この場合、ユーザは、入力した他の原稿サイズでのプレビュー表示によって、入力した他の原稿サイズが正しいか否かを判断することができる。
【００３０】
本発明の画像形成装置は、前記原稿のサイズの候補を表示するとともに、表示した候補の中から前記原稿のサイズの指定を受け付ける表示部と、前記画像読取部による画像の読取開始前に、前記原稿台に載置された原稿のサイズを検知して認識する原稿サイズ認識部と、前記画像読取部による画像の読取開始時点で、前記原稿のサイズが確定されているか否かを判断する原稿サイズ確定判断部とをさらに備え、前記原稿サイズ確定判断部は、前記画像読取部による画像の読取開始時点で、前記表示部にて前記原稿のサイズの指定がなく、かつ、前記原稿サイズ認識部にて前記原稿のサイズが認識されていない場合に、前記原稿のサイズが不確定であると判断してもよい。
【００３１】
この構成では、原稿サイズ確定判断部は、原稿サイズが不確定であるか否かの判断を、容易にかつ確実に行うことができる。
【００３２】
本発明の画像形成装置は、前記画像読取部にて読み取った画像を等倍で前記記録媒体上に形成してもよい。
【００３３】
この場合、読取画像を等倍で記録媒体上に形成する構成において、上述した本発明の効果を得ることができる。
【発明の効果】
【００３４】
本発明によれば、原稿サイズが不確定の状態で画像の読取が開始されても、原稿サイズ検知部にて原稿サイズが検知された場合には、検知された原稿サイズと同じサイズの記録媒体に読取画像が形成されるので、載置された原稿のサイズと異なるサイズの記録媒体に画像が形成される事態を回避することができる。また、原稿サイズが不確定の状態で画像の読取が開始されても、画像読取終了後、上面カバーの開動作に伴って原稿サイズが検知されるので、画像読取終了後に原稿サイズを迅速に検知して、検知した原稿サイズと同じサイズの記録媒体に読取画像を迅速に形成することができる。
【図面の簡単な説明】
【００３５】
【図１】本発明の実施の一形態に係る画像形成装置としての複写機の概略の構成を模式的に示す断面図である。
【図２】上記複写機の画像読取装置の詳細な構成を示す断面図である。
【図３】上記複写機の原稿搬送部の開状態での画像読取装置の正面図である。
【図４】上記原稿搬送部の開状態での画像読取装置および原稿搬送部の断面図である。
【図５】上記原稿搬送部が開状態から閉状態に移行しつつあるときの画像読取装置および原稿搬送部の断面図である。
【図６】上記画像読取装置の平面図である。
【図７】上記複写機のハードウェア構成の一例を示すブロック図である。
【図８】上記画像読取装置のハードウェア構成の詳細を示すブロック図である。
【図９】上記複写機における動作の流れの一例を示すフローチャートである。
【図１０】原稿サイズが不確定の状態で読取が開始されたときの、上記複写機の液晶表示部の表示画面例を示す説明図である。
【図１１】画像読取終了後、キャリッジのリターン中に上面カバーの開動作が検知されたときの、上記キャリッジの移動順序を模式的に示す説明図である。
【図１２】画像読取終了後、キャリッジのリターン終了後に上面カバーの開動作が検知されたときの、上記キャリッジの移動順序を模式的に示す説明図である。
【図１３】原稿サイズが不確定の状態で読取が開始されたときの原稿サイズの確定方法を、上記液晶表示部にて設定する場合の表示画面例を示す説明図である。
【図１４】上記複写機における他の動作の流れを示すフローチャートである。
【図１５】上記液晶表示部におけるプレビュー表示の設定画面を示す説明図である。
【図１６】プレビュー表示の設定を考慮したときの動作の流れを示すフローチャートである。
【図１７】上記液晶表示部におけるプレビュー表示の表示画面例を示す説明図である。
【図１８】上記液晶表示部にて、他の原稿サイズの候補を表示して、他の原稿サイズの選択入力を受け付ける表示画面を示す説明図である。
【発明を実施するための形態】
【００３６】
本発明の実施の一形態について、図面に基づいて説明すれば、以下の通りである。まず、本発明の画像形成装置の概略について説明する。
【００３７】
（画像形成装置の概略）
図１は、電子写真方式を利用して画像を形成する画像形成装置としての複写機１００の概略の構成を模式的に示す正面視での断面図である。複写機１００は、画像読取装置１と、原稿搬送部２とを有している。
【００３８】
なお、以下での説明の便宜上、画像読取装置１の後述する第１移動枠１３１（図２参照）の画像読取時の移動方向を副走査方向と称し、原稿台としての載置読取用コンタクトガラス１２に平行な面内で副走査方向に垂直な方向を主走査方向と称する。なお、主走査方向は、画像読取装置１によって原稿の画像が読み取られる１ラインに平行な方向とも言える。
【００３９】
画像読取装置１は、原稿搬送部２によって搬送されて搬送読取用コンタクトガラス１１上を通過する原稿の画像、または、載置読取用コンタクトガラス１２に載置された原稿の画像を読み取る。この画像読取装置１は、原稿搬送部２によって搬送される原稿の画像読取時には、光源６（図２参照）を有する第１移動枠１３１を読取位置に移動させ、その読取位置で搬送読取用コンタクトガラス１１を介して原稿に光を照射し、原稿からの反射光をイメージセンサ１５（図２参照）で受光することにより、上記原稿の画像を主走査方向の１ラインごとに読み取る。また、画像読取装置１は、載置読取用コンタクトガラス１２に載置された原稿の画像読取時には、第１移動枠１３１を副走査方向に移動させながら載置読取用コンタクトガラス１２を介して原稿に光を照射し、原稿からの反射光をイメージセンサ１５で受光することにより、上記原稿の画像を読み取る。なお、画像読取装置１の詳細については後述する。
【００４０】
原稿搬送部２は、搬送読取用コンタクトガラス１１上に読取原稿を１枚ずつ自動的に連続して搬送する原稿搬送装置であり、画像読取装置１の上方に設けられている。この原稿搬送部２は、複写機背面側に水平に位置する回動軸２ａ（図３参照）を中心に回動可能に設けられており、画像読取装置１の原稿台（載置読取用コンタクトガラス１２）に原稿を載置する際に上下方向に開閉する上面カバーを構成している。また、載置読取用コンタクトガラス１２に載置されるブック原稿の画像を読み取る場合、原稿搬送部２はブック原稿を上から押さえる原稿押さえ部としても機能する。なお、原稿搬送部２の代わりに、原稿押さえ部としてのみ機能する上面カバーが設けられてもよい。
【００４１】
また、複写機１００は、画像読取装置１の正面側に操作パネル３を有している。操作パネル３は、複写機１００の設定用のキーを表示しつつ使用者の入力を受け付ける、タッチパネルを含む液晶表示部３０と、コピー部数等の数字入力を行うためのテンキー部３１と、印刷開始を指示入力するためのスタートキー３２とを有している。
【００４２】
また、液晶表示部３０は、載置読取用コンタクトガラス１２上に載置された原稿のサイズの候補を表示するとともに、表示した候補の中から原稿のサイズの指定を受け付ける表示部としても機能している。上記原稿のサイズの候補としては、例えば、Ａ４横（横置き）、Ｂ４縦（縦置き）等のサイズを挙げることができる。ユーザが液晶表示部３０で表示された原稿サイズのボタンを押圧すると、通常は（拡大、縮小の指定がない限り）その原稿サイズと同じサイズの用紙が読取画像を形成する記録媒体として指定されることになる。なお、液晶表示部３０は、ジャムや用紙切れ等のエラー等の複写機１００の状態も表示することができる。
【００４３】
また、複写機１００は、給紙部４Ａ、搬送路４Ｂ、画像形成部５Ａ、中間転写部５Ｂ、定着部５Ｃ等を備えており、画像読取装置１で読み取られた画像を記録媒体上に形成する。なお、複写機１００は、外部から送信される画像データに基づいて記録媒体上に画像を形成することもできる。
【００４４】
給紙部４Ａは、複写機１００の本体内に複数設けられており、それぞれ、各サイズ（例えば、Ａ４、Ｂ４等のＡ型、Ｂ型用紙等）、各種用紙（例えば、コピー用紙、再生紙、厚紙、ＯＨＰシート等）を記録媒体として複数枚収容している。各給紙部４Ａは、それぞれ回転駆動する給紙ローラ４１を備え、印刷時、１枚ずつ搬送路４Ｂに用紙を送り込む。
【００４５】
搬送路４Ｂは、装置内で用紙を搬送する通路である。そして、搬送路４Ｂには、用紙の案内のためのガイド板や、用紙搬送時に回転駆動する搬送ローラ対４２（図１おいて、上方から４２Ａ、４２Ｂ、４２Ｃの計３つ）や、搬送される用紙を画像形成部５Ａの手前で待機させ、形成されたトナー像の転写タイミングに合わせて用紙を送り出すレジストローラ対４３等が設けられる。また、定着完了後の用紙を排出トレイ４４に排出する排出ローラ対４５も設けられる。
【００４６】
画像形成部５Ａは、複数の画像形成ユニット５０（ブラック用の５０Ｂｋ、イエロー用の５０Ｙ、シアン用の５０Ｃ、マゼンタ用の５０Ｍ）と露光装置５１を含む。露光装置５１は、画像読取装置１で読み取られた画像の画像データ等に基づき、レーザ光を点消灯しつつ出力し、各感光体ドラムを走査露光する。画像形成ユニット５０は、回転駆動可能に支持された感光体ドラムや、感光体ドラムの周囲に配設された帯電装置、現像装置、清掃装置等を備える。そして、各画像形成ユニット５０と露光装置５１によって、感光体ドラムの周面上にトナー像が形成される。
【００４７】
中間転写部５Ｂは、各画像形成ユニット５０からトナー像の１次転写を受け、用紙に２次転写を行う。中間転写部５Ｂは、各１次転写ローラ５２Ｂｋ〜５２Ｍ、中間転写ベルト５３、駆動ローラ５４、複数の従動ローラ５５、２次転写ローラ５６、ベルト清掃装置５７等で構成される。各１次転写ローラ５２Ｂｋ〜５２Ｍは、対応する感光体ドラムとで無端状の中間転写ベルト５３を挟み込む。各１次転写ローラ５２Ｂｋ〜５２Ｍには、転写用電圧が印加され、トナー像は中間転写ベルト５３に転写される。
【００４８】
中間転写ベルト５３は、駆動ローラ５４等に張架され、モータ等の駆動機構（不図示）に接続される駆動ローラ５４の回転駆動により周回する。駆動ローラ５４は、２次転写ローラ５６とで中間転写ベルト５３を挟み込む。各画像形成ユニット５０で形成されたトナー像（ブラック、イエロー、シアン、マゼンタの各色）は、順次、ずれなく重畳して中間転写ベルト５３に１次転写された後、所定の電圧を印加された２次転写ローラ５６により、用紙に転写される。
【００４９】
定着部５Ｃは、用紙に転写されたトナー像を定着させる。定着部５Ｃは、主として、発熱体を内蔵する加熱ローラ５８とこれに圧接する加圧ローラ５９からなる。用紙が、加熱ローラ５８と加圧ローラ５９との間に形成されるニップを通過すると、トナーが溶融・加熱され、トナー像が用紙に定着する。定着部５Ｃから排出される用紙は、排出トレイ４４に送られる。
【００５０】
以上のことから、給紙部４Ａ、搬送路４Ｂ、画像形成部５Ａ、中間転写部５Ｂおよび定着部５Ｃは、画像読取装置１で読み取られた画像を記録媒体上に形成する画像出力部を構成していると言える。
【００５１】
（画像読取装置の詳細）
次に、上記した画像読取装置１の詳細について説明する。図２は、画像読取装置１の詳細な構成を示す正面視での断面図である。画像読取装置１は、箱形の筐体を有する。そして、画像読取装置１の上面で中央よりも左側には、主走査方向に細長い透明板状の搬送読取用コンタクトガラス１１が配される。また、画像読取装置１の上面中央には、搬送読取用コンタクトガラス１１よりも副走査方向に幅広の透明板状の載置読取用コンタクトガラス１２が配される。書籍等の原稿を１頁ずつ読み取る場合、上面カバーとしての原稿搬送部２を持ち上げ、読取面を下向きにして、載置読取用コンタクトガラス１２上に原稿が載置される。
【００５２】
画像読取装置１の筐体内には、第１移動枠１３１（キャリッジ）、第２移動枠１３２、ワイヤ１３３、巻取ドラム１３４、レンズ１４およびイメージセンサ１５等が配される。第１移動枠１３１は、光源６および第１ミラー１６１を保持する枠である。光源６は、原稿に光を照射するものであり、例えば複数のＬＥＤが主走査方向に並んで構成されている。
【００５３】
第２移動枠１３２は、第２ミラー１６２および第３ミラー１６３を保持する枠である。第１移動枠１３１および第２移動枠１３２は、複数本のワイヤ１３３を介して巻取ドラム１３４に接続されている。巻取モータ１３Ｍ（図８参照）によって巻取ドラム１３４が正逆回転することにより、第１移動枠１３１および第２移動枠１３２は個別に副走査方向に自在に移動する。レンズ１４は、第１移動枠１３１および第２移動枠１３２の各ミラーを介して入射する光を集光してイメージセンサ１５に導く。
【００５４】
イメージセンサ１５は、光源６から出射されて原稿で反射された光を受光することにより、原稿の画像を主走査方向の１ラインごとに読み取り、画像データを生成する。このイメージセンサ１５は、例えば、複数の受光素子（例えばＣＣＤ）をＲ（赤）、Ｇ（緑）、Ｂ（青）の各色ごとに主走査方向にライン状に並べたラインセンサで構成されている。
【００５５】
上記の構成において、原稿搬送部２により搬送される原稿の画像を読み取る場合、巻取モータ１３Ｍの駆動により、第１移動枠１３１は、ホームポジション（ＨＰ）から搬送読取用コンタクトガラス１１の下方位置に移動し、その位置で光源６が点灯する。なお、上記のホームポジションは、例えば、搬送読取用コンタクトガラス１１と載置読取用コンタクトガラス１２との間の下方位置である。また、第１移動枠１３１の移動に伴って第２移動枠１３２も副走査方向に移動する。
【００５６】
光源６が点灯すると、搬送読取用コンタクトガラス１１を介して原稿に光が照射される。原稿からの反射光は、搬送読取用コンタクトガラス１１を介して第１ミラー１６１に入射し、そこで反射された後、第２ミラー１６２および第３ミラー１６３で順に反射され、レンズ１４を介してイメージセンサ１５に入射する。イメージセンサ１５は、反射光を画像濃度に応じたアナログの電気信号に変換して画像データを生成し、原稿の主走査方向１ラインの画像を読み取る。原稿を搬送しながらこのような動作を連続して行うことにより、原稿の主走査方向の１ラインごとの画像の読取が副走査方向に連続して行われ、１枚の原稿が読み取られる。
【００５７】
一方、載置読取用コンタクトガラス１２上に載置された原稿の画像を読み取る場合、巻取モータ１３Ｍの駆動により、第１移動枠１３１および第２移動枠１３２は、光源６を点灯させたまま、載置読取用コンタクトガラス１２の下方を副走査方向に移動する。原稿の読取位置を副走査方向の一端側から他端側にかけて移動させながら、原稿からの反射光をイメージセンサ１５で受光することにより、原稿の画像全体が読み取られる。
【００５８】
以上のことから、少なくとも、光源６、第１移動枠１３１、第２移動枠１３２、巻取モータ１３Ｍ、巻取ドラム１３４、イメージセンサ１５で、原稿の画像を読み取る画像読取部１０１（図８参照）が構成されていると言える。
【００５９】
（上面カバーの開閉とその検知）
次に、上面カバーとしての原稿搬送部２の原稿台に対する開閉と、その開閉の検知について説明する。図３は、原稿搬送部２の開状態での画像読取装置１の正面図であり、図４は、原稿搬送部２の開状態での画像読取装置１および原稿搬送部２の断面図であり、図５は、原稿搬送部２が開状態から閉状態に移行しつつあるときの画像読取装置１および原稿搬送部２の断面図である。なお、図４および図５は、画像読取装置１および原稿搬送部２を左側から見たときの断面図をそれぞれ示している。
【００６０】
原稿搬送部２は、前述のように画像読取装置１の上面に設けられている。原稿搬送部２は、画像読取装置１の本体背面側の一辺に設けられた２箇所の回転軸２ａを中心として回動可能に支持部材２ｂに取り付けられている。上記２つの回動軸２ａ・２ａは、水平方向（正面側から見て左右方向）に伸びている。これにより、原稿搬送部２は、画像読取装置１の正面側を自由端として、正面側を上下方向に振るように回転し、画像読取装置１の上面に対して開、閉両様の姿勢をとり得る。
【００６１】
原稿搬送部２の下面であって、原稿搬送部２を閉じたときに搬送読取用コンタクトガラス１１と対向する位置には、白色ガイド板２ｃが設けられている。白色ガイド板２ｃは、搬送読取用コンタクトガラス１１をカバーする位置および大きさで形成されている。原稿搬送部２を閉じたとき、白色ガイド板２ｃと搬送読取用コンタクトガラス１１間に隙間が形成され、原稿搬送部２によって搬送される原稿がこの隙間を通過する。
【００６２】
また、原稿搬送部２の下面であって、原稿搬送部２を閉じたときに載置読取用コンタクトガラス１２と対向する位置には、白色マット２ｄが設けられている。白色マット２ｄは、載置読取用コンタクトガラス１２をカバーする位置および大きさで形成されている。原稿搬送部２を閉じたときには、載置読取用コンタクトガラス１２上に載置された原稿を白色マット２ｄが押圧するため、原稿が移動することなく保持される。
【００６３】
また、画像読取装置１は、カバー開閉検知部７を備えている。カバー開閉検知部７は、原稿搬送部２の２箇所の回転軸２ａの間に設けられて、原稿台に対する原稿搬送部２の開閉を検知するものであり、接触片７１、センサ７２、ばね７３等で構成されている。
【００６４】
図４および図５に示すように、接触片７１は、上下方向に延びる棒状の部材で、上下方向にスライドする。接触片７１は、原稿搬送部２が、閉じられ始めると上側の先端が原稿搬送部２の下面に接触する接触部７４を備える。そして、原稿搬送部２が倒されるほど、接触片７１は下方に押し込まれる。また、接触片７１は、下側の先端にセンサ７２による開閉検知のために利用されるセンサ干渉部７５を備える。
【００６５】
センサ７２は、原稿搬送部２が下降時のセンサ干渉部７５の近傍に備えられる。センサ７２は、例えば、透過型光センサで構成され、発光部および受光部（図示せず）を備える。そして、原稿搬送部２が予め定められた位置よりも倒されると、センサ干渉部７５はセンサ７２の発光部と受光部との間の光路を遮り始める。また、予め定められた位置よりも原稿搬送部２が倒されていれば、センサ干渉部７５は、センサ７２の発光部と受光部との間の光路を遮り続ける。
【００６６】
これにより、原稿搬送部２が予め定められた位置よりも倒されていること（閉状態、閉動作）、および、原稿搬送部２が予め定められた位置以上に持ち上げられていること（開状態、開動作）を検知することができる。ばね７３は、例えば圧縮コイルばねで構成されており、接触片７１の下方に設けられている。このばね７３は、原稿搬送部２の開状態で、接触片７１が飛び出さず、センサ干渉部７５がセンサ７２の上方にくる程度に、接触片７１を上方に付勢している。
【００６７】
（原稿のサイズ検知について）
次に、画像読取装置１での原稿のサイズ検知について説明する。図６は、画像読取装置１の平面図である。なお、図６では、画像読取装置１の上方に位置する原稿搬送部２の図示を省略している。
【００６８】
使用者は、原稿の画像を読み取る面を下向きにし、載置読取用コンタクトガラス１２上に、原稿の基準点Ｐにあわせて原稿を載置する。なお、本実施形態の複写機１００では、複写機１００を上方からみて、載置読取用コンタクトガラス１２の左上隅が基準点Ｐである。使用者は、この基準点Ｐに原稿の左上隅をあわせ原稿を載置する。
【００６９】
画像読取装置１は、原稿サイズ検知部１９を有している。原稿サイズ検知部１９は、原稿台に載置された原稿の副走査方向および主走査方向のサイズを検知するものである。具体的には、原稿サイズ検知部１９は、副走査方向の原稿サイズについては、副走査方向において複数の予め定められた位置に配置された各検知センサ１９ａでの検知結果に基づいて原稿サイズを検知する。より詳細には、以下の通りである。
【００７０】
各検知センサ１９ａは、例えば、反射型光センサで構成されており、副走査方向の原稿のサイズの複数の候補のそれぞれに対応して配置されている。したがって、原稿載置時に原稿の存在を検知した検知センサ１９ａの数または位置に基づいて、載置された原稿の副走査方向のサイズを検知することができる。例えば、原稿載置時に基準点Ｐから副走査方向に１つ目、２つ目および３つ目に位置する各検知センサ１９ａで原稿の存在を検知し、基準点Ｐから４つ目に位置する検知センサ１９ａで原稿の存在を検知しなかった場合には、副走査方向の原稿サイズは、基準点Ｐから３つ目の検知センサ１９ａに対応するサイズであると判断できる。各検知センサ１９ａの出力は、例えば、後述の読取制御部１０（図８参照）に入力される。
【００７１】
一方、主走査方向の原稿サイズの検知については、原稿サイズ検知部１９は、光源６の点灯時の読取結果に基づいて原稿サイズを検知する。つまり、原稿の主走査方向のサイズ（長さ）は、原稿の左端の一部（画像の読取開始付近の複数ライン）を読み取ることで検知される。したがって、主走査方向の原稿サイズを検知する際には、光源６を点灯させながら第１移動枠１３１および第２移動枠１３２を副走査方向に若干移動させる必要がある。このことから、主走査方向の原稿サイズを検知する際は、光源６を含む画像読取部１０１（図８参照）が、原稿サイズ検知部１９として機能しているとも言える。
【００７２】
上記の原稿サイズ検知部１９は、装置の稼働状態（電源ＯＮ状態またはスリープモードから画像形成が可能な通常モードに復帰した状態）で原稿台に原稿が載置された場合には、画像読取部１０１による画像の読取開始前に、原稿台に載置された原稿のサイズを検知することができる。この場合、原稿サイズ検知部１９は、原稿サイズ認識部として機能する。また、原稿サイズ検知部１９は、原稿のサイズが不確定の状態で画像読取部１０１による画像の読取が開始され、該読取が終了した後、カバー開閉検知部７によって上面カバーの開動作が検知された場合でも、原稿サイズを検知することができる。なお、このときの検知方法については、後述する動作説明の中で併せて説明する。
【００７３】
（複写機のハードウェア構成）
次に、複写機１００のハードウェア構成について説明する。図７は、複写機１００のハードウェア構成の一例を示すブロック図である。
【００７４】
複写機１００の本体制御部８には、中央演算処理装置としてのＣＰＵ８１と、記憶部８２とが設けられている。記憶部８２は、ＲＡＭ（Random Access Memory）、ＲＯＭ（Read Only Memory）、ＨＤＤ（Hard disk drive）、フラッシュＲＯＭ等の、不揮発性および揮発性のメモリで構成されている。なお、記憶部８２は、本体制御部８の外部に設けられていてもよい。
【００７５】
記憶部８２は、複写機１００を制御するためのプログラム、データ等を記憶する。本体制御部８は、記憶部８２のプログラムやデータを利用して、各部を制御し、印刷を行わせる。なお、本体制御部８は、全体制御や通信制御や画像処理を行うメイン制御部、画像形成や各種回転体を回転させるモータ等のＯＮ／ＯＦＦ等を行い、印刷を制御するエンジン制御部等、機能ごとに分割して複数種設けられてもよい。ここでは、これらの制御部をまとめた形態で示して説明する。
【００７６】
また、本体制御部８には、画像処理部８３が設けられる。画像処理部８３は、ＡＳＩＣやメモリ等で構成され、濃度変換処理や、拡大縮小処理や、回転処理や、画像データの圧縮、伸張処理などの各種画像処理を行う。なお、画像処理部８３は、その他、公知となっている画像処理（例えば、枠消し処理）等を行うこともできる。
【００７７】
また、本体制御部８は、給紙部４Ａ、搬送路４Ｂ、画像形成部５Ａ、中間転写部５Ｂ、定着部５Ｃ、操作パネル３等と接続され、用紙搬送やトナー像形成等、各部の動作制御を行う。そして、操作パネル３での設定やコピー実行指示は、本体制御部８に伝達される。本体制御部８は、画像読取装置１および原稿搬送部２とも接続され、コピー実行時等、画像読取装置１および原稿搬送部２に対して動作指示を与える。そして、本体制御部８はコピー時、原稿の画像データを受け取り、画像データに基づき、印刷を行わせる（コピー）。
【００７８】
また、本体制御部８（特にＣＰＵ８１）は、原稿のサイズが不確定の状態で画像の読取が開始されたときに、液晶表示部３０におけるサイズ指定または上記した原稿サイズ検知部１９でのサイズ検知に基づいて、原稿のサイズを確定する原稿サイズ確定部として機能する。なお、原稿サイズが不確定の状態とは、画像読取部１０１による画像の読取開始時点において、液晶表示部３０にて原稿サイズが指定されておらず、かつ、原稿サイズ検知部１９によって原稿サイズが検知（認識）できていない状態を指す。つまり、本体制御部８は、画像の読取開始時点で、原稿サイズが確定されているか否かを、液晶表示部３０でのサイズ指定または原稿サイズ検知部１９（原稿サイズ認識部）でのサイズ検知に基づいて判断する。したがって、本体制御部８は、画像の読取開始時点で、原稿サイズが確定されているか否かを判断する原稿サイズ確定判断部としても機能する。
【００７９】
例えば、装置が電源ＯＦＦ状態やスリープモード（省電力モード）の状態にあるときに、原稿台に原稿が載置され、上面カバー（原稿搬送部２）を閉じた後、装置が電源ＯＮ状態となったり、スリープモードから通常モードに復帰した場合に、液晶表示部３０にてサイズ指定がされていない場合には、原稿サイズが不確定となる。また、装置の電源ＯＦＦ状態およびスリープモードにおいては、少なくとも一部への機能ブロック（例えば原稿サイズ検知部１９）への電力供給がＯＦＦされるので、原稿台に原稿が載置されても、原稿サイズ検知部１９によるサイズ検知が行われず、この場合も原稿サイズが不確定となる。
【００８０】
原稿のサイズが不確定の状態で画像の読取が開始されたときには、その後、原稿サイズ検知部１９にて検知された原稿のサイズと同じサイズの記録媒体に読取画像が形成されることになるが、その詳細については、フローチャートに基づく後述する動作説明の中で併せて説明する。
【００８１】
（画像読取装置のハードウェア構成）
次に、画像読取装置１を含む画像読取装置１００のハードウェア構成について説明する。図８は、画像読取装置１００のハードウェア構成の詳細を示すブロック図である。
【００８２】
画像読取装置１００は、上記した画像読取部１０１と、カバー開閉検知部７と、原稿サイズ検知部１９とを含んで構成されている。画像読取部１０１は、上記した第１移動枠１３１、第２移動枠１３２、巻取モータ１３Ｍ、巻取ドラム１３４、光源６、イメージセンサ１５に加えて、読取制御部１０を含んでいる。
【００８３】
読取制御部１０は、上述の本体制御部８や操作パネル３と通信可能に接続されており、例えば、操作パネル３のスタートキー３２が押下された場合等、本体制御部８の指示を受けて、画像読取装置１の各部の動作制御や、読取で得られた画像データの本体制御部８への送信制御を行う。このような読取制御部１０は、中央演算処理装置としてのＣＰＵや、画像読取装置１００の制御に必要なプログラム、データを記憶する記憶装置としてのＲＯＭ、ＲＡＭを含む基板で構成されている。
【００８４】
読取制御部１０には、巻取モータ１３Ｍが接続されている。これにより、巻取モータ１３Ｍの回転を制御して巻取ドラム１３４を回転させ、第１移動枠１３１および第２移動枠１３２を副走査方向に移動させることができる。また、読取制御部１０は、光源６と接続されており、画像読取時の光源６の点灯／消灯を制御している。さらに、読取制御部１０は、イメージセンサ１５、カバー開閉検知部７および原稿サイズ検知部１９と通信可能に接続されており、イメージセンサ１５で読み取った画像のデータを本体制御部８に送信したり、カバー開閉検知部７および原稿サイズ検知部１９での各検知結果を本体制御部８に送信することができる。本体制御部８は、読取制御部１０から送信される各種の情報を受けて、読取画像の記録媒体への形成を制御することになる。
【００８５】
なお、読取制御部１０の機能を本体制御部８に持たせたり、逆に、本体制御部８の機能を読取制御部１０に持たせることも可能である。
【００８６】
（複写機の動作について）
次に、上記構成を備えた複写機１００の動作について、主に図９のフローチャートに基づいて説明する。なお、ここでは、原稿台に載置された原稿のサイズが不確定の状態で印刷開始の指示を受け、画像の読取を行う場合の動作について説明する。なお、原稿サイズが不確定であるかどうかは、上述したように本体制御部８が判断することができる。
【００８７】
原稿サイズが不確定の状態で操作パネル３においてスタートキー３２が押下され、印刷開始が指示されると（Ｓ１）、画像読取部１０１は、原稿サイズが不確定のため、最大の原稿サイズで画像の読取を開始する（Ｓ２）。つまり、画像読取部１０１は、光源６を有する第１移動枠１３１、および第２移動枠１３２を、ホームポジションＨＰ（図１１、図１２参照）から副走査方向に最大の原稿サイズに対応する読取位置Ａ（図１１、図１２参照）まで移動させながら、原稿台に載置された原稿に光を照射するとともに、原稿からの反射光をイメージセンサ１５で受光することにより、原稿の画像を読み取る。そして、本体制御部８は、操作パネル３の液晶表示部３０に対して、原稿サイズが不確定であることを表示させるとともに、原稿サイズの候補を表示させる（Ｓ３）。図１０は、このときの液晶表示部３０の表示画面例を示している。このように、Ｓ３では、給紙部４Ａが収容している複数のサイズの用紙と同じサイズ（Ａ４縦、Ａ４横等）が、原稿サイズの候補として表示され、ユーザが原稿サイズを選択、指定することが可能な状態となる。
【００８８】
次に、本体制御部８は、液晶表示部３０にて原稿サイズがユーザによって選択されたか否かを判断する（Ｓ４）。Ｓ４にて、原稿サイズが選択された場合には、本体制御部８は、選択されたサイズに原稿サイズを確定し（Ｓ５）、確定した原稿サイズに読取画像を切り出す（Ｓ６）。その後、本体制御部８は、液晶表示部３０に対して原稿サイズの候補の表示をＯＦＦさせ（Ｓ７）、選択された原稿サイズと同じサイズの用紙に切り出した画像を等倍で形成するように、各部（給紙部４Ａ、搬送路４Ｂ、画像形成部５Ａ、中間転写部５Ｂ、定着部５Ｃ）を制御する。これにより、用紙への印刷が行われ（Ｓ８）、処理が終了する。
【００８９】
一方、Ｓ４にて、原稿サイズが選択されていない場合には、最大サイズでの画像の読取が終了し、光源６を消灯させた後（Ｓ９）、本体制御部８は、読取制御部１０を制御して第１移動枠１３１および第２移動枠１３２のホームポジションへのリターンを開始させる（Ｓ１０）。そして、本体制御部８は、リターンが終了するまでに（第１移動枠１３１および第２移動枠１３２がホームポジションに戻るまでに）、液晶表示部３０にて原稿サイズがユーザによって選択されたか否かを判断する（Ｓ１１）。Ｓ１１にて、原稿サイズが選択された場合には、それによって原稿サイズが確定するので（Ｓ５）、その後は、上述したＳ６以降の動作を行って、処理を終了する。
【００９０】
Ｓ１１にて、原稿サイズが選択されていない場合には、本体制御部８は、リターンが終了するまでに、カバー開閉検知部７によって上面カバー（原稿搬送部２）が開かれたどうかを判断する（Ｓ１２）。Ｓ１２にて、上面カバーが開かれている場合には、本体制御部８は、読取制御部１０に対して、原稿サイズ検知部１９による原稿サイズの検知を指示する。この指示に基づき、原稿サイズ検知部１９は、キャリッジのリターン中に原稿サイズを検知する（Ｓ１３）。これにより、原稿サイズが確定するので（Ｓ５）、その後は、上述したＳ６以降の動作を行って、処理を終了する。
【００９１】
ここで、図１１は、リターン中に上面カバーの開動作が検知されたときのキャリッジ（第１移動枠１３１）の移動順序を模式的に示している。画像の読取終了後、キャリッジが読取終了位置ＡからホームポジションＨＰに戻るリターン中の位置（例えば位置Ｂ）で、上面カバーの開動作が検知されたときには、原稿サイズ検知部１９は、光源６を再度点灯させてキャリッジのリターン中に原稿のサイズ（主走査方向のサイズ）を検知する。なお、原稿サイズを検知した後は、光源６を即座に消灯させる。したがって、画像の読取開始からサイズ検知を経てホームポジションに戻るまでのキャリッジの移動順序は、図１１の（１）（２）の順となる。なお、副走査方向の原稿サイズについては、キャリッジの移動とは関係なく、各検知センサ１９ａ（図６参照）によって検知できる。
【００９２】
このように、キャリッジのリターン中に原稿サイズを検知する場合は、キャリッジのリターン中の動作をそのまま利用して原稿サイズを検知することができるので、例えばキャリッジのリターン動作終了後、再度キャリッジを移動させてサイズ検知を行う場合のように、サイズ検知の目的だけでキャリッジを改めて動作させる必要がなくなり、キャリッジの余分な動作を不要とすることができる。
【００９３】
一方、図９のＳ１２にて、上面カバーが開かれていない場合には、本体制御部８は、第１移動枠１３１および第２移動枠１３２のホームポジションへのリターンが終了したか否かを判断し（Ｓ１４）、リターンが終了するまでＳ１１およびＳ１２の判断を繰り返す。そして、Ｓ１４にて、リターンが終了している場合、本体制御部８は、リターン中と同様に、液晶表示部３０にて原稿サイズがユーザによって選択されたか否かを判断する（Ｓ１５）。Ｓ１５にて、原稿サイズが選択された場合には、それによって原稿サイズが確定するので（Ｓ５）、その後は、上述したＳ６以降の動作を行って、処理を終了する。
【００９４】
Ｓ１５にて、原稿サイズが選択されていない場合には、本体制御部８は、カバー開閉検知部７によって上面カバーが開かれたどうかを判断する（Ｓ１６）。Ｓ１６にて、上面カバーが開かれている場合には、本体制御部８は、読取制御部１０に対して、原稿サイズ検知部１９による原稿サイズの検知を指示する。この指示に基づき、原稿サイズ検知部１９は、キャリッジのリターン後ではあるが、原稿サイズを検知する（Ｓ１３）。これにより、原稿サイズが確定するので（Ｓ５）、その後は、上述したＳ６以降の動作を行って、処理を終了する。一方、Ｓ１６にて、上面カバーが開かれていない場合には、本体制御部８は、上面カバーが開かれるまで、原稿サイズの検知を指示しない。
【００９５】
図１２は、リターン終了後に上面カバーの開動作が検知されたときのキャリッジの移動順序を模式的に示している。画像の読取終了後、キャリッジが読取終了位置ＡからホームポジションＨＰに戻り（リターンが終了し）、キャリッジのホームポジションＨＰでの停止中に、上面カバーの開動作が検知されたときには、原稿サイズ検知部１９は、ホームポジションＨＰから例えば位置Ｃにキャリッジを再度移動させて原稿のサイズ（主走査方向のサイズ）を検知し、検知終了後、キャリッジをホームポジションＨＰに戻す。この動作により、キャリッジのリターン終了後であっても、原稿サイズを検知することができる。なお、副走査方向の原稿サイズについては、リターン中での検知と同様に、キャリッジの移動とは関係なく、各検知センサ１９ａによって検知できる。したがって、画像の読取開始からサイズ検知を経てホームポジションに戻るまでのキャリッジの移動順序は、図１２の（１）（２）（３）（４）の順となる。
【００９６】
以上のように、本実施形態では、原稿のサイズが不確定の状態で画像読取部１０１による画像の読取が開始されたときでも、原稿サイズ検知部１９にて原稿のサイズが検知されると（Ｓ１３参照）、検知された原稿のサイズと同じサイズの記録媒体上に読取画像が形成される（Ｓ８参照）。したがって、正しいサイズ（載置された原稿と同じサイズ）の記録媒体に読取画像を形成することができる。
【００９７】
また、原稿サイズが不確定の状態で画像の読取が開始され、画像読取終了後にカバー開閉検知部７によって上面カバーの開動作が検知されたときに、原稿サイズ検知部１９が原稿サイズを検知している（Ｓ１２、Ｓ１６、Ｓ１３参照）。これにより、画像読取終了後に上面カバーの開動作に伴って原稿サイズを迅速に検知することができ、検知した原稿サイズと同じサイズの記録媒体に読取画像を迅速に形成することができる。また、画像の読取終了後、上面カバーが開かれた場合は、ユーザが画像の読取終了を認識して、原稿台から原稿を取り除こうとしており、ユーザが原稿のコピー動作の終了を待っているものと推認できる。したがって、画像の読取終了後、コピー動作を迅速に完了させることは、このようなユーザの期待にも応えるものとなり、利便性が高くなる。
【００９８】
また、原稿サイズが不確定の状態で画像の読取が開始された場合でも、液晶表示部３０にて原稿のサイズが指定された場合には（Ｓ４、Ｓ１１、Ｓ１５参照）、指定された原稿サイズと同じサイズの記録媒体上に読取画像が形成される（Ｓ８参照）。したがって、例えば原稿サイズ検知部１９でのサイズ検知を行う前に、ユーザが液晶表示部３０にて原稿サイズを直接指定することにより、画像の読取終了後、早く記録媒体への画像形成を開始させることができる。
【００９９】
また、画像読取部１０１は、原稿サイズが不確定の状態では、最大の原稿サイズで画像を読み取っている（Ｓ２参照）。これにより、その後、どのような原稿サイズが原稿サイズ検知部１９にて検知または液晶表示部３０にて指定されても、読取画像のうちの必要な部分（載置された原稿の画像の部分）だけを切り出すことができる。そして、本体制御部８は、検知または指定された原稿のサイズに、読取画像を切り出している（Ｓ６参照）。したがって、検知または指定された原稿サイズと同じサイズの記録媒体上に、必要な画像（切り出した画像）のみを形成することができる。
【０１００】
（原稿サイズの確定方法の設定について）
以上では、原稿のサイズが不確定の状態で読取が開始されたときに、本体制御部８が、液晶表示部３０におけるサイズ指定と、原稿サイズ検知部１９でのサイズ検知との両方に基づいて、原稿のサイズを確定しているが、サイズ検知のみに基づいて原稿のサイズを確定してもよく、これらのいずれかの原稿サイズの確定方法を設定できる構成となっていてもよい。
【０１０１】
図１３は、原稿のサイズが不確定の状態で読取が開始されたときの原稿サイズの確定方法を、液晶表示部３０にて設定する場合の表示画面の例を示している。図１３の例では、上記確定方法として、（１）原稿サイズ検知部１９でのサイズ検知に基づいて原稿サイズを確定する、（２）液晶表示部３０でのサイズ指定および原稿サイズ検知部１９でのサイズ検知の両方に基づいて原稿サイズを確定する、のいずれかの表示部分を押圧し、ＯＫボタンを押圧することにより、設定することができる。なお、原稿サイズの確定方法として、上記の（１）の方法が設定された場合は、動作の流れは図１４のようになる。なお、図１４における各ステップの番号は、図９と対応している。
【０１０２】
液晶表示部３０にて図１３のような画面を表示させ、原稿サイズの確定方法を設定可能とすることにより、ユーザの好みに応じた原稿サイズの確定方法を設定することができる。
【０１０３】
以上のことから、液晶表示部３０は、原稿サイズが不確定の状態で読取が開始されたときに、原稿サイズ確定部としての本体制御部８が、原稿サイズ検知部１９でのサイズ検知のみ、サイズ指定およびサイズ検知の両方、のいずれに基づいて原稿のサイズを確定するかを設定するための設定部として機能していると言うことができる。
【０１０４】
（プレビュー表示について）
ところで、図１５は、液晶表示部３０におけるプレビュー表示の設定画面を示している。同図に示すように、原稿サイズが不確定の状態で読取が開始されたときに、印刷前にプレビュー表示を行うか否かを設定できる構成となっていてもよい。このプレビュー表示とは、記録媒体への読取画像の形成前に、原稿サイズ検知部１９にて検知された原稿のサイズまたは液晶表示部３０にて指定された原稿のサイズに対応する記録媒体を用いて画像を形成した結果を示すものである。液晶表示部３０の表示画面において、プレビュー表示を行う、プレビュー表示を行わない、のいずれかの表示部分を押圧して、ＯＫボタンを押圧することにより、プレビュー表示の実行の可否を設定することができる。このように、液晶表示部３０は、そのようなプレビュー表示の実行を設定するための入力部として機能しており、プレビュー表示の実行が設定されている場合のみ、プレビュー表示を行うこととなる。
【０１０５】
図１６は、図９のフローチャートにおいて、プレビュー表示の設定を考慮したときの動作の流れを示している。本体制御部８は、Ｓ４またはＳ１３の後、Ｓ５にて原稿サイズを確定する前に、液晶表示部３０にて、プレビュー表示の実行が設定されているか否かを判断する（Ｓ４−１）。Ｓ４−１にて、プレビュー表示の実行が設定されていない場合は、そのままＳ５に移行し、Ｓ５以降の動作が行われる。
【０１０６】
一方、Ｓ４−１にて、プレビュー表示の実行が設定されている場合には、液晶表示部３０は、プレビュー表示を実行するとともに、プレビュー表示されたサイズとは異なる他の原稿サイズの候補を併せて表示して、他の原稿サイズの選択入力を受け付ける（Ｓ４−２）。ここで、図１７は、Ｓ４−２での液晶表示部３０の表示画面例を示している。例えば、Ｓ４にて選択またはＳ１３にて検知された原稿サイズがＡ４横である場合、液晶表示部３０は、その原稿サイズのプレビュー表示を行うとともに、Ａ４縦、Ｂ４横等、他の原稿サイズの候補も表示して、これらの選択入力を受け付ける。ユーザは、プレビュー表示されたサイズでの印刷がＯＫであれば、ＯＫボタンを押圧し、他の原稿サイズでの印刷を希望する場合は、希望する他の原稿サイズの表示部分を押圧すればよい。
【０１０７】
Ｓ４−２のプレビュー表示にて、ＯＫボタンが押圧されると、本体制御部８は、プレビュー表示された原稿サイズでの印刷がＯＫであると判断し（Ｓ４−３でＹｅｓ）、上述したＳ５以降の動作を行う。
【０１０８】
一方、Ｓ４−３にて、プレビュー表示された原稿サイズでの印刷がＯＫでなく、他の原稿サイズが選択された場合は、液晶表示部３０は、入力された他の原稿サイズのプレビュー表示を行うとともに、さらに他の原稿サイズの候補を表示して、他の原稿サイズの選択入力を受け付ける（Ｓ４−４）。
【０１０９】
図１８は、Ｓ４−４での液晶表示部３０の表示画面例を示している。例えば、原稿サイズとしてＢ５横が選択されている場合、液晶表示部３０は、その原稿サイズのプレビュー表示を行うとともに、Ａ４横、Ａ４縦等、他の原稿サイズの候補も表示して、これらの選択入力を受け付ける。ユーザは、プレビュー表示を見て、選択した原稿サイズでの印刷がＯＫであれば、ＯＫボタンを押圧し、さらに他の原稿サイズでの印刷を希望する場合は、希望する他の原稿サイズの表示部分を押圧すればよい。そして、Ｓ４−３に戻り、ユーザの了解が得られるまで、すなわち、プレビュー表示にてユーザがＯＫボタンを押圧するまで、Ｓ４−３、Ｓ４−４の処理を繰り返し、最終的には、ユーザの希望する原稿サイズが確定されることになる（Ｓ５）。
【０１１０】
以上のように、液晶表示部３０は、プレビュー表示の実行を設定するための入力部として機能しているので、ユーザは、液晶表示部３０での入力によって、プレビュー表示の実行の可否を自由に設定することができる。また、プレビュー表示の実行が設定されている場合には、ユーザは、原稿サイズが不確定の状態で読取が開始された場合でも、その後、指定または検知された原稿サイズが正しいか否か、つまり、正しい原稿サイズと同じサイズの記録媒体に読取画像が形成されるか否かを、プレビュー表示で確認することができる。さらに、原稿台から原稿が早く抜き取られた場合には、原稿サイズを正しく検知できていない場合もあるが、プレビュー表示の実行により、原稿サイズが正しく検知できているか否かも確認できる。一方、プレビュー表示の実行が設定されていない場合には、ユーザによるプレビュー表示での原稿サイズの確認なしで、読取画像を記録媒体に形成させることができ、画像の読取終了後、迅速に画像形成を行うことができる。
【０１１１】
また、液晶表示部３０は、プレビュー表示を行う際に、他の原稿サイズの候補も表示して、他の原稿サイズの選択入力を受け付ける（Ｓ４−２参照）。これにより、ユーザは、プレビュー表示にて、原稿サイズが正しくないと判断した場合でも、液晶表示部３０にて他の原稿サイズを選択することができる。
【０１１２】
また、液晶表示部３０は、プレビュー表示されたサイズとは異なる他の原稿サイズの選択入力を受け付けたときに、入力された他の原稿サイズのプレビュー表示を再度行っている（Ｓ４−４参照）。これにより、ユーザは、入力した他の原稿サイズが正しいか否かを容易に判断することができる。
【０１１３】
また、プレビュー表示にてユーザがＯＫボタンを押圧するまで、Ｓ４−３、Ｓ４−４の処理が繰り返されるので、ユーザは、他の原稿サイズの入力ごとに、入力した原稿サイズに対応するプレビュー表示によって、入力した原稿サイズが正しいか否かを判断することができる。
【０１１４】
なお、図１６のフローチャートでは、原稿サイズを確定する前にプレビュー表示を行っているが、印刷前であればどの時点でプレビュー表示を行ってもよい。例えば、原稿サイズを確定した後、すなわち、Ｓ５の後（Ｓ７の後でもよい）にプレビュー表示が設定されているか否かを判断して、確定された原稿サイズでプレビュー表示を行い、ユーザがＯＫボタンを押圧したときに、プレビュー表示されたサイズで印刷を行うようにしてもよい。
【０１１５】
なお、本実施形態では、画像形成装置として複写機１００を例に挙げたが、本発明は、例えば複合機やファクシミリ装置などの他の画像形成装置にも適用可能である。また、本実施形態では、タンデム式のカラーの画像形成装置について説明したが、その他、ロータリー式のカラー画像形成装置やモノクロの画像形成装置にも、本実施形態の構成を適用することが可能である。
【０１１６】
以上、本発明の実施形態について説明したが、本発明の範囲はこれに限定されるものではなく、発明の主旨を逸脱しない範囲で種々の変更を加えて実施することができる。
【産業上の利用可能性】
【０１１７】
本発明は、原稿台に載置された原稿の画像を読み取って、記録媒体上に読取画像を形成する画像形成装置に利用可能である。
【符号の説明】
【０１１８】
２      原稿搬送部（上面カバー）
６      光源
７      カバー開閉検知部
８      本体制御部（原稿サイズ確定判断部）
１２      載置読取用コンタクトガラス（原稿台）
１９      原稿サイズ検知部（原稿サイズ検知部、原稿サイズ認識部）
３０      液晶表示部（表示部、入力部）
１００      複写機（画像形成装置）
１０１      画像読取部（画像読取部、原稿サイズ検知部、原稿サイズ認識部）
１３１      第１移動枠（キャリッジ）
【図１】
0005309099.tif 000002
【図２】
0005309099.tif 000003
【図３】
0005309099.tif 000004
【図４】
0005309099.tif 000005
【図５】
0005309099.tif 000006
【図６】
0005309099.tif 000007
【図７】
0005309099.tif 000008
【図８】
0005309099.tif 000009
【図９】
0005309099.tif 000010
【図１０】
0005309099.tif 000011
【図１１】
0005309099.tif 000012
【図１２】
0005309099.tif 000013
【図１３】
0005309099.tif 000014
【図１４】
0005309099.tif 000015
【図１５】
0005309099.tif 000016
【図１６】
0005309099.tif 000017
【図１７】
0005309099.tif 000018
【図１８】
0005309099.tif 000019